(57)【要約】【課題】特に動画撮影時の合焦被写体変更に際して、撮影前の予備操作をすることなく現在の合焦位置と任意の移動先合焦位置の位置関係を表示することを可能にした撮像装置を提供すること。【解決手段】撮影画角内のいずれかの被写体を選択する選択操作部（５１）と、選択した被写体までのデフォーカス量検出部（２２）を備え、フォーカスレンズ（１０３）を駆動して被写体に合焦可能な撮像装置（１００）において、現在の前記フォーカスレンズ（１０３）の位置である第一のフォーカスポイント（１２０）と、選択操作部（５１）により選択された第二のフォーカスポイント（１２１）とのデフォーカス量表示（１２２（ａ））を行い、現在の前記フォーカスレンズ（１０３）が前記デフォーカス量表示（１２２（ａ））内のどの位置にいるかを示すレンズ位置表示（１２３）を行う表示制御手段を備えることを特徴とする。【選択図】図４（ａ）
2016142779.tif 000002
【特許請求の範囲】
【請求項１】
撮影画角内のいずれかの被写体を選択する選択操作部（５１）と、
選択した被写体までのデフォーカス量検出部（２２）を備え、
フォーカスレンズ（１０３）を駆動して被写体に合焦可能な撮像装置（１００）において、
現在の前記フォーカスレンズ（１０３）の位置である第一のフォーカスポイント（１２０）と、選択操作部（５１）により選択された第二のフォーカスポイント（１２１）とのデフォーカス量表示（１２２（ａ））を行い、
現在の前記フォーカスレンズ（１０３）が前記デフォーカス量表示（１２２（ａ））内のどの位置にいるかを示すレンズ位置表示（１２３）を行う表示制御手段を備えることを特徴とする撮像装置。
【請求項２】
前記デフォーカス量表示（１２２（ａ））は始点（１２２（ｂ））、終点（１２２（ｃ））を持ったバー形状であり、現在の前記フォーカスレンズ（１０３）の位置は前記デフォーカス量表示（１２２（ａ））のバー上のポインタ（１２３）の移動によって表示を行う表示制御手段を備えることを特徴とする請求項１に記載の撮像装置。
【請求項３】
レンズ駆動回路（３）をさらに備え、撮影者が前記ポインタ（１２３）を移動させることで前記レンズ駆動回路（３）によって前記フォーカスレンズ（１０３）の駆動を行うことを特徴とする請求項１又は請求項２に記載の撮像装置。
【請求項４】
前記ポインタ（１２３）の移動手段として、タッチパネル（５１）を用いることを特徴とする請求項３に記載の撮像装置。
【請求項５】
外部装置との通信部をさらに備え、前記フォーカスレンズ（１０３）の操作を外部装置から行うことを特徴とする請求項１乃至請求項４の何れか一項に記載の撮像装置。
【請求項６】
フォーカスレンズ位置情報取得部（５）をさらに備え、前記デフォーカス量検出部（２２）により検出されたデフォーカス量が前記フォーカスレンズ（１０３）の駆動範囲に収まっているかの判定を行うことを特徴とする請求項１乃至請求項５の何れか一項に記載の撮像装置。
【請求項７】
選択した被写体が動いた場合には、前記デフォーカス量検出部（２２）によって再度デフォーカス量の検出を行い、前記デフォーカス表示（１２２（ａ））および終点（１２２（ｃ））の表示変更を行う表示制御手段を備えることを特徴とする請求項１乃至請求項６の何れか一項に記載の撮像装置。
【請求項８】
選択した被写体までの前記デフォーカス量検出部（２２）によるデフォーカス量検出が不可能の場合には、被写体選択時の前記フォーカスレンズ（１０３）の位置を始点（１２２（ｂ））とし、終点（１２２（ｃ））の表示を行わず、現在の前記フォーカスレンズ（１０３）の位置が始点（１２２（ｂ））からのどの位置にいるかの表示を行い、前記デフォーカス量検出部（２２）によるデフォーカス量検出が可能になった時点で終点（１２２（ｃ））の表示を行う表示制御手段を備えることを特徴とする請求項１乃至請求項７の何れか一項に記載の撮像装置。
【発明の詳細な説明】
【技術分野】
【０００１】
本発明は、撮像装置に関し、特にフォーカスレンズの移動により、合焦している被写体の変更が可能な撮像装置に関する。
【背景技術】
【０００２】
従来、撮像装置上にて焦点を合わせるには、撮像装置によってオートフォーカス制御がなされ、フォーカスレンズが駆動されるか、撮影者がフォーカスリングを回すなどしてマニュアルでフォーカスレンズを移動するかのどちらかである。
【０００３】
動画撮影時において、合焦している被写体（以下、合焦被写体）を変更し、別の被写体に合焦させるには、オートフォーカスでのフォーカスレンズ駆動を用いれば初心者であっても狙った被写体に簡単に合焦させることができる。
【０００４】
しかし、映画などで見られる、フォーカスレンズをゆっくり動かすといったような速度を制御しながらの合焦被写体変更を行うには、撮影者がマニュアルでのフォーカスレンズ操作を行う必要がある。
【０００５】
しかし、マニュアル操作においては、ユーザーは合焦被写体変更が完了するまでのフォーカスレンズ移動量が分からないため、フォーカスレンズの速度制御を行いながらの合焦被写体変更は熟練を要する。
【０００６】
そこで、特許文献１には、合焦被写体変更先におけるフォーカスレンズ位置情報をあらかじめ記憶させ、一端を近景側、他端を遠景側とするバー上に現在のフォーカスレンズ位置と合焦被写体変更先でのフォーカスレンズ位置を表示する構成が開示されている。
【先行技術文献】
【特許文献】
【０００７】
【特許文献１】特開２００９−１２２２８９号公報
【発明の概要】
【発明が解決しようとする課題】
【０００８】
しかしながら、上述の特許文献に開示された従来技術では、あらかじめ合焦被写体変更先のフォーカスレンズ位置情報を記憶する必要があるため煩わしく、また合焦被写体変更先の選択が撮影中には対応できない。
【０００９】
そこで、本発明の目的は、特に動画撮影時の合焦被写体変更に際して、撮影前の予備操作をすることなく、現在の合焦被写体でのフォーカスレンズ位置と合焦被写体変更先のフォーカスレンズ位置の関係を表示することを可能にした撮像装置を提供することにある。
【課題を解決するための手段】
【００１０】
上記の目的を達成するために、本発明の撮像装置は、
撮影画角内のいずれかの被写体を選択する選択操作部（５１）と、
選択した被写体までのデフォーカス量検出部（２２）を備え、
フォーカスレンズ（１０３）を駆動して被写体に合焦可能な撮像装置（１００）において、
現在の前記フォーカスレンズ（１０３）の位置である第一のフォーカスポイント（１２０）と、選択操作部（５１）により選択された第二のフォーカスポイント（１２１）とのデフォーカス量表示（１２２（ａ））を行い、
現在の前記フォーカスレンズ（１０３）が前記デフォーカス量表示（１２２（ａ））内のどの位置にいるかを示すレンズ位置表示（１２３）を行う表示制御手段を備えることを特徴とする。
【発明の効果】
【００１１】
本発明によれば、特に動画撮影時の合焦被写体変更に際して、撮影前の予備操作をすることなく現在の合焦被写体でのフォーカスレンズ位置と合焦被写体変更先のフォーカスレンズ位置の関係を表示することを可能にした撮像装置を提供することができる。
【図面の簡単な説明】
【００１２】
【図１】本実施形態の撮像装置１００の外観斜視図である。
【図２】本実施形態の撮像装置１００の構成を示すブロック図である。
【図３（ａ）】本実施形態の合焦被写体変更時の処理を示したフローチャートである。
【図３（ｂ）】本実施形態の合焦被写体変更時の処理を示したフローチャートである。
【図４（ａ）】本実施形態の合焦被写体移動の際の表示部２２の表示を示す図である。
【図４（ｂ）】本実施形態の合焦被写体移動の際の表示部２２の表示を示す図である。
【図４（ｃ）】本実施形態の合焦被写体移動の際の表示部２２の表示を示す図である。
【図５（ａ）】本実施形態のデフォーカス量が大きい場合における合焦被写体変更の際の表示部２２の表示を示す図である。
【図５（ｂ）】本実施形態のデフォーカス量が大きい場合における合焦被写体変更の際の表示部２２の表示を示す図である。
【発明を実施するための形態】
【００１３】
以下に、本発明の好ましい実施形態を、添付の図面に基づいて詳細に説明する。
【００１４】
［実施形態１］
図１（ａ）、（ｂ）に本発明の撮像装置の一例としてのデジタルカメラの外観図を示す。図１（ａ）はデジタルカメラ１００の前面斜視図であり、図１（ｂ）はデジタルカメラ１００の背面斜視図である。
【００１５】
図１において、表示部２８はＬＣＤパネルと、これと一体に構成された不図示のタッチパネル５１から構成され、画像や各種情報を表示する表示部である。シャッターボタン６１は撮影指示を行うための操作部である。モード切替スイッチ６０は各種モードを切り替えるための操作部である。端子カバー４０は外部機器との接続ケーブルとデジタルカメラ１００とを接続する接続ケーブル等のコネクタ（不図示）を保護するカバーである。
【００１６】
メイン電子ダイヤル７１は回転操作部材であり、このメイン電子ダイヤル７１を回すことで、シャッター速度や絞りなど各種設定値の変更等が行える。電源スイッチ７２はデジタルカメラ１００の電源のＯＮ及びＯＦＦを切り替える操作部材である。サブ電子ダイヤル７３は回転操作部材であり、選択枠の移動や画像送りなどを行える。ＳＥＴボタン７５は押しボタンであり、主に選択項目の決定などに用いられる。マルチコントローラー７６は上、下、左、右に倒すことができ、それぞれの方向への操作が可能である。
【００１７】
拡大ボタン７７は撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。再生ボタン７８は撮影モードと再生モードとを切り替える操作ボタンである。撮影モード中に再生ボタン７８を押下することで再生モードに移行し、記録媒体に記録された画像のうち最新の画像を表示部２８に表示させることができる。
【００１８】
クイックリターンミラー１２は、不図示のシステム制御部５０から指示されて、不図示のアクチュエータにより回動される。通信端子１０はデジタルカメラ１００が不図示の撮影レンズ（着脱可能）と通信を行う為の通信端子である。接眼ファインダー１６は不図示のフォーカシングスクリーン１３を観察することで、不図示のレンズユニット１５０を通して得た被写体の光学像の焦点や構図の確認を行うための覗き込み型のファインダーである。蓋２０２は記録媒体の着脱を可能とするスロットの蓋である。グリップ部９０は、ユーザーがデジタルカメラ１００を構えた際に右手で握りやすい形状とした保持部である。
【００１９】
図２は本実施形態によるデジタルカメラ１００の構成例を示すブロック図である。
【００２０】
図２において、レンズユニット１５０は、交換可能な撮影レンズを搭載するレンズユニットである。レンズ１０３は通常、複数枚のレンズから構成されるが、ここでは簡略して一枚のレンズのみで示している。
【００２１】
通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞り１０２の制御を行う。またレンズ駆動回路３を介して、レンズ１０３の位置を変位させることで焦点を合わせる。レンズ１０３の位置はレンズ位置情報取得部５によって読み取られる。
【００２２】
クイックリターンミラー１２（以下、ミラー１２）は、露光、ライブビュー撮影、動画撮影の際にシステム制御部５０から指示されて、不図示のアクチュエータにより回動する。撮影が行われる場合やライブビュー表示の場合にはミラー１２を回動させることで光束を遮らない撮像光路外に退避し、被写体光束の全てが撮像素子部２２に入射する。
【００２３】
ミラー１２は光の一部を透過できるようにハーフミラーとなっており、撮影待機時は光束の一部をファインダー１６へと導くよう反射させ、残りの光束はミラー１２を透過して撮像素子部２２に入射されるように配されている。
【００２４】
撮影待機時にミラー１２で反射した光束はフォーカシングスクリーン１３に照射される。撮影者は、ペンタプリズム１４とファインダー１６を介して、フォーカシングスクリーン１３を観察することで、レンズユニット１５０を通して得た被写体の光学像の焦点や構図の確認が可能となる。
【００２５】
撮像素子部２２は光学像を電気信号に変換するＣＣＤやＣＭＯＳ素子等で構成される撮像素子である。撮像素子部２２に入射した光束を用いて、被写体の輝度の測光が行われる。また、この撮像素子部２２は一部に位相差検出用画素を設け、それを利用した位相差検出方式の自動焦点調節（いわゆる撮像面ＡＦ）機能を有している。撮像素子部２２に入射した光束を用いてシステム制御部５０にデフォーカス量情報を出力し、システム制御部５０はそれに基づいてレンズユニット１５０を制御して位相差ＡＦを行う。
【００２６】
シャッター１０１は、システム制御部５０の制御で撮像素子部２２の露光時間を自由に制御できるフォーカルプレーンシャッターである。
【００２７】
Ａ／Ｄ変換器２３は、撮像素子部２２から出力されるアナログ信号をデジタル信号に変換するために用いられる。
【００２８】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮影した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮影した画像データを用いて所定の演算処理を行い、得られた演算結果に基づいてＴＴＬ方式のＡＷＢ（オートホワイトバランス）処理も行っている。
【００２９】
Ａ／Ｄ変換器２３からの出力データは、画像処理部２４及びメモリ制御部１５を介して、或いは、メモリ制御部１５を介してメモリ３２に直接書き込まれる。メモリ３２は、撮像素子部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００３０】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００３１】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。
【００３２】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。
【００３３】
システムタイマー５３は各種制御に用いる時間や、内蔵された時計の時間を計測する計時部である。
【００３４】
モード切替スイッチ６０、第１シャッタースイッチ６２、第２シャッタースイッチ６４、操作部７０はシステム制御部５０に各種の動作指示を入力するための操作手段である。
【００３５】
モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、撮影シーン別の撮影設定となる各種シーンモード、プログラムＡＥモード、カスタムモード等がある。
【００３６】
モード切替スイッチ６０で、静止画撮影モードに含まれるこれらのモードのいずれかに直接切り替えられる。あるいは、モード切替スイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００３７】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３８】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像素子部２２からの信号読み出しから記録媒体２００に画像データを書き込むまでの一連の撮影処理の動作を開始する。
【００３９】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、マルチコントローラーやＳＥＴボタンとを用いて直感的に各種設定を行うことができる。
【００４０】
操作部７０は、ユーザーからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、ＳＥＴボタン７５、マルチコントローラー７６、拡大ボタン７７、再生ボタン７８。
【００４１】
タッチパネル５１は、表示部２８のＬＣＤパネルに重ね合わせて平面的に構成され、タッチされた位置に応じた座標情報が出力されるようにした入力デバイスである。
【００４２】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００４３】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００４４】
図３に動画撮影中における合焦被写体変更を行う際の処理のフローチャートを示す。また図４、図５はそれぞれ図３（ａ）、（ｂ）の処理中の表示部２８の状態を示す。表示部２８はライブビュー表示となっている。
【００４５】
図４（ａ）では手前の人物の顔に合焦しており、それを示す、請求項の第一のフォーカスポイントに相当する枠１２０が表示されている。奥の人物は焦点がぼけた映像となっている。
【００４６】
図３（ａ）のステップＳ３０１で合焦被写体変更先を選択すると、ステップＳ３０２でその被写体に現在の合焦被写体を示す枠１２０と異なる表示で、請求項の第二のフォーカスポイントに相当する枠１２１を表示する。図４においては、合焦被写体変更先は奥の人物であり、図４（ｂ）のように表示部２８に選択被写体に枠１２１が表示される。なお合焦被写体変更先の選択はマルチコントローラー７６を用いてもよい。
【００４７】
ステップＳ３０３で、撮像素子部２２を用いて枠１２１の被写体と現在の合焦被写体である枠１２０の被写体とのデフォーカス量が検出可能かを判定する。検出可能である場合はステップＳ３０４でデフォーカス量を検出し、ステップＳ３０５でレンズ位置情報取得部５によりレンズ位置情報を取得してステップＳ３０６へ進む。撮像素子部２２を用いたデフォーカス量の検出には、例えば特開２００１−２５０９３に開示されている技術を用いる。検出不可能である場合は後述する図３（ｂ）のステップＳ４０１以降のフローとなる。
【００４８】
ステップＳ３０６では、ステップＳ３０４で取得したデフォーカス量とステップＳ３０５にて取得したレンズ位置情報を用い、合焦被写体変更先までレンズ１０３が駆動可能かを判定する。駆動可能である場合はステップＳ３０７でバー１２２（ａ）、左端部１２２（ｂ）、右端部１２２（ｃ）および現在のレンズ１０３の位置を示すポインタ１２３を表示し、ステップＳ３０８へ進む。駆動不可能である場合はステップＳ３１７でレンズ１０３が動作範囲外であることを警告する表示を出し、終了する。
【００４９】
図４（ｂ）はステップＳ３０７の状態を示している。バー１２２（ａ）の左端部１２２（ｂ）は枠１２０の被写体に合焦するレンズ１０３の位置を、右端部１２２（ｃ）はデフォーカス量検出により特定される、枠１２１の被写体に合焦するレンズ１０３の位置を表している。また、ポインタ１２３がバー１２２（ａ）上に表示されている。初期状態においてはポインタ１２３がバー１２２（ａ）の左端部１２２（ｂ）に表示されることになる。
【００５０】
ステップＳ３０８では選択被写体である枠内の被写体が移動したかを判定し、移動した場合はステップＳ３０９で枠２１１を公知の被写体追尾の技術により被写体に追尾させてステップＳ３１０へ進み、移動していない場合はステップＳ３１５へ進む。
【００５１】
ステップＳ３１０では移動後の被写体のデフォーカス量が検出可能かを再び判定する。検出可能である場合はステップＳ３１１でデフォーカス量を検出し、ステップＳ３１２でレンズ位置情報取得部５によりレンズ位置情報を取得してステップＳ３１３へ進む。検出不可能である場合は後述する図３（ｂ）のステップＳ４０１以降のフローとなる。
【００５２】
ステップＳ３１３では、ステップＳ３１１で取得したデフォーカス量とステップＳ３１２にて取得したレンズ位置情報を用い、合焦被写体変更先までレンズ１０３が駆動可能かを判定する。駆動可能である場合はステップＳ３１４でバー１２２（ａ）の表示を変更し、ステップＳ３１５へ進む。バー１２２（ａ）は、例えば色や長さなどを変更することでデフォーカス量の変化があったことをユーザーに示すことができる。駆動不可能である場合はステップＳ３１８でレンズ１０３が動作範囲外であることを警告する表示を出し、終了する。
【００５３】
ステップＳ３１５でポインタ１２３の位置変更に従ってシステム制御部５０にポインタ１２３の移動量が出力される。システム制御部５０は通信端子６，１０を介してレンズシステム制御部４と通信し、内部のレンズシステム制御回路４によってレンズ駆動回路３を介して、レンズ１０３の位置をポインタ１２３の移動量に合わせて移動させる。
【００５４】
ステップＳ３１６でポインタ１２３がバー１２２（ａ）の右端部１２２（ｃ）に到達したかを判定する。到達した場合は終了し、到達していない場合はＳ３０８に戻る。
【００５５】
図４（ｃ）はステップＳ３１５の状態を示している。ポインタ１２３をドラッグし、バー１２２（ａ）上におけるポインタ１２３の位置を変更することにより、レンズ１０３の位置がポインタ１２３の移動量に合わせて変化する。よってポインタ１２３をバー１２２（ａ）の右端部１２２（ｃ）まで移動させることにより、レンズ１０３は選択被写体である枠１２１の被写体に合焦する位置となる。
【００５６】
図３（ｂ）に、図３（ａ）のＡから進んできた処理の続き、即ち合焦被写体変更先のデフォーカス量が大きく、現在の合焦被写体とのデフォーカス量が検出不可能である場合についてのフローチャートを示す。
【００５７】
ステップＳ４０１でレンズ位置情報取得部５によるレンズ位置情報を取得し、その情報からレンズ１０３の移動方向を決定する。レンズ１０３の移動方向は、レンズ１０３が近景側に位置している場合は無限側に、無限側に位置している場合には近景側に移動させる方向とする。
【００５８】
ステップＳ４０２でバー１２２（ａ）、左端部１２２（ｂ）および現在のレンズ１０３の位置を示すポインタ１２３を表示する。
【００５９】
図５（ａ）はステップＳ４０２の状態を示している。表示部２８にはバー１２２（ａ）および左端部１２２（ｂ）が表示されるが、右端部１２２（ｃ）が表示されない。また、初期状態においてポインタ１２３がバー１２２（ａ）の左端部１２２（ｂ）に表示されている。
【００６０】
ステップＳ４０３でポインタ１２３の移動に従いレンズ１０３を移動させると、システム制御部５０にポインタ１２３の移動量が出力される。システム制御部５０は通信端子６，１０を介してレンズシステム制御部４と通信し、内部のレンズシステム制御回路４によってレンズ駆動回路３を介して、レンズ１０３の位置をポインタ１２３の移動量に合わせて移動させる。バー１２２（ａ）に右端部１２２（ｃ）が表示されない状態においては、ポインタ１２３の移動量とレンズ１０３の移動量は所定の関係に定められている。
【００６１】
ステップＳ４０４で合焦被写体変更先のデフォーカス量が減少しているかの判定を行う。レンズ１０３の移動方向が枠１２１の被写体のデフォーカス量を大きくする方向だった場合、ポインタ１２３を右に移動させてもデフォーカス量を検出できるようにはならない。そのためデフォーカス量が減少していないと判定されるとステップＳ４０７に進み、レンズ１０３の移動方向を反転させてステップＳ４０３に戻る。また、ユーザーが任意にレンズ１０３の移動方向を反転させるための操作部を設けてもよい。
【００６２】
レンズ１０３の移動方向が枠１２１の被写体のデフォーカス量を小さくする方向だった場合、ポインタ１２３を右に移動させると所定の位置でデフォーカス量が撮像素子部２２によって検出される状態となる。デフォーカス量が減少している場合はステップＳ４０５に進む。
【００６３】
ステップＳ４０５でレンズ１０３が駆動可能範囲の端まで到達しているかの判定を行う。到達している場合は終了し、到達していない場合はステップＳ４０６に進む。
【００６４】
ステップＳ４０６で撮像素子部２２により合焦被写体変更先のデフォーカス量が検出可能かを判定する。検出可能である場合は図３（ａ）のステップ３０４に進み、デフォーカス量を検出する。検出不可能である場合はステップＳ４０３に戻る。
【００６５】
ステップ３０４に進み、ステップＳ３０６で合焦被写体変更先までレンズ１０３が駆動可能と判定されれば、図５（ｂ）のようにバー１２２（ａ）に右端部１２２（ｃ）が表示される。この右端部１２２（ｃ）は枠１２１の被写体に合焦するレンズ１０３の位置を示しているため、その後ポインタ１２３をバー１２２（ａ）の右端部１２２（ｃ）まで移動させることにより、レンズ１０３は選択被写体である枠１２１の被写体に合焦する位置となる。
【００６６】
本実施形態によると、ユーザーは動画撮影中に任意のタイミングで合焦被写体変更先を選択でき、その上で現在のレンズ１０３の位置および合焦被写体変更先におけるレンズ１０３の位置が視覚化された状態で合焦被写体変更操作ができる。そのため、動画撮影中でも従来のフォーカスリングを用いたマニュアル操作に比べ容易に速度制御を行いながらの合焦被写体変更が可能となる。さらに、デフォーカス量が検出されればポインタ１２３の移動方向が定まるため、フォーカスリングを用いてレンズ１０３を移動させる際に起こりうる、移動開始時に逆方向へ移動させてしまうといった誤操作の可能性を減らすことができる。また、合焦被写体変更先におけるレンズ１０３の位置が右端部１２２（ｃ）に定まるため、ドラッグがバー１２２（ａ）の右端部１２２（ｃ）を通り越してもレンズ１０３の位置が移動先合焦被写体を通り越さないように制御することが可能となる。
【００６７】
本実施形態では、ポインタ１２３のドラッグのさせ方によって合焦被写体変更の速度や緩急が制御可能であるが、特定の操作を行うことで瞬間的に合焦被写体変更を行うとしてもよい。例えば、表示部２８の合焦被写体変更先をダブルタップすることで、バー１２２（ａ）、左端部１２２（ｂ）、右端部１２２（ｃ）を出すことなく瞬間的に合焦被写体を変更させる構成としてもよい。
【００６８】
また、本実施形態ではレンズ１０３の位置を示す指標としてバー１２２（ａ）、左端部１２２（ｂ）、右端部１２２（ｃ）およびポインタ１２３を用いたが、これに限定されない。さらにポインタ１２３の移動方向も左から右の移動方向に限定されない。
【００６９】
また、本実施形態では撮像装置に構成された表示部２８にバー１２２（ａ）、左端部１２２（ｂ）、右端部１２２（ｃ）およびポインタ１２３を表示しているが、これに限定されない。例えば、通信部を備えた外部装置を用い、データを送受信することにより、外部装置の表示部にこれらを表示させ、さらにレンズ１０３の動作をさせてもよい。
【００７０】
以上、本発明の好ましい実施形態について説明したが、本発明はこれらの実施形態に限定されず、その要旨の範囲内で種々の変形及び変更が可能である。
【符号の説明】
【００７１】
１００  撮像装置、２２  撮像素子部、５１  タッチパネル、
１０３  フォーカスレンズ、１２０  第一のフォーカスポイント枠、
１２１  第二のフォーカスポイント枠、１２２（ａ）  バー、
１２３  ポインタ
【図１】
2016142779.tif 000003
【図２】
2016142779.tif 000004
【図３（ａ）】
2016142779.tif 000005
【図３（ｂ）】
2016142779.tif 000006
【図４（ａ）】
2016142779.tif 000007
【図４（ｂ）】
2016142779.tif 000008
【図４（ｃ）】
2016142779.tif 000009
【図５（ａ）】
2016142779.tif 000010
【図５（ｂ）】
2016142779.tif 000011